(57)【要約】      （修正有）【課題】無段階調節可能なベルトのバックルは、人前でも目立たずにさりげなくベルトを緩めることができず、さりげなくベルトを緩めることのできるバックルは、バックルが人体より引き離す方向の力など受けた場合にベルトが緩む点が問題である。強く締結できるベルトは、ベルトの表面に圧痕を付け美観を損ない、ベルトを局部的に損傷させ、人体にバックルが均等に密着しないなどの問題点がある。これらの問題点を解決したベルトのバックルを提供する。【解決手段】長さが１５〜４５ｍｍのスリット状の空隙部２を設けた下面板１、下面板上に設けた一対の側面板３、側面板の軸５まわりに起倒可能で倒した時に下面板のスリット状の空隙部に向かって突き出す高さ３〜１５ｍｍの凸部を設けた留め具７からなり、一対の側面板には留め具を倒した状態で係合するための係合部９を設け、スリット状の空隙部の上面に重ねたベルトの基端部４を下面板の上部面に固定する。【選択図】図１
2014128529.tif 000002
【特許請求の範囲】
【請求項１】
スリットの長さが１５〜４５ｍｍのスリット状の空隙部を設けた下面板、下面板上に設けた一対の側面板、前記一対の側面板と垂直をなす軸まわりに起倒可能な留め具からなり、留め具には倒した時に下面板のスリット状の空隙部に向かって突き出す高さ３〜１５ｍｍの凸部を設け、一対の側面板には前記留め具を倒した状態で係合するための係合部を設け、スリット状の空隙部の上面に重ねたベルトの基端部を下面板の上部面に固定する事を特徴とするベルトのバックル。
【請求項２】
留め具を倒した状態で、留め具に設けた凸部の先端が、下面板の上部面より上方に５ｍｍ、下方に５ｍｍの範囲に位置する事を特徴とする請求項１記載のベルトのバックル。
【請求項３】
下面板の上部面よりベルトの基端部から先端部へ延びる方向とはスリット状の空隙部を挟んで反対側の下面板の上部面に、ベルトの基端部を固定することを特徴とする請求項１又は２記載のベルトのバックル。
【請求項４】
一対の側面板と垂直をなす軸を、側面板に設けた溝の中で一対の側面板と平行に移動可能とすることで、前記留め具を平行に移動、揺動させ、側面板のストッパーとの係合を行うことを特徴とする請求項１〜３のいずれかに記載のベルトのバックル。
【請求項５】
倒した前記留め具の先端部近傍に前記一対の側面板と垂直をなす別の軸を追加し、この別の軸まわりに起倒可能な第２の留め具を設け、この第２の留め具の根元付近で前記留め具の先端部を押さえ込み、前記留め具を係合する機構を特徴とする請求項１〜４のいずれかに記載のベルトのバックル。
【請求項６】
前記第２の留め具を永久磁石により係合する機構を特徴とする請求項１〜５のいずれかに記載のベルトのバックル。
【発明の詳細な説明】
【技術分野】
【０００１】  本発明は、係合位置を無段階に調節可能なベルトのバックルに関するものである。
【背景技術】
【０００２】  係合位置を無段階に調節可能なベルトのバックルに関する特許は既に多数出願されており、これらの中でも布製ベルトを使った安価なＧＩタイプや、バックルの中に取り付けられた歯により皮革製ベルトを噛み込むビジネスタイプが洋装用として多く市販されている。これらのバックルの長所は思い通りの位置で係合できる事であり、近年問題となっているメタボリックシンドローム対策や、シェイプアップ中のために、ウェストサイズが変動しやすい人には、便利で使いやすいバックルである。なお、これらのバックルに対して、人体を損傷する程の力を受けてもベルトが緩まない締結性能を要求されるものは安全帯用として区別されている。【０００３】  しかしながら、従来技術による無段階調節可能なバックルの大部分は、ベルトを緩める時の動作が目立つため、食事中などマナーが要求される状況下において、さりげなくベルトを緩める事ができなかった。【０００４】  また特許文献１などのようにバックルの中で、ベルトが受ける張力により摩擦力を発生させて締結する方式では、大げさな動作を伴わずにベルトを緩められるが、人体からバックルを引き離す方向に外力を受けた場合、図５のようにベルトが２次曲線形状となり、ベルトとバックルの間に発生している摩擦力が低下して緩む事が問題である。（図が必要）【０００５】  さらに、従来型の多くのバックルではベルトをバックルの端部に固定しているため、装着時にバックルのバランスが崩れ、傾いて飛び出たバックルの端部が手などに当たり不快である点が問題である。【０００６】  また、特許文献２などの過去の出願には、ベルトの表面を爪部により圧縮して締結すると説明が有る。しかし実際にこのようなタイプのバックルを皮革製のベルトに使用した場合には、ベルトに爪痕を付けるため美観を損ない、寿命が短くなる点なども問題である。【０００７】  さらに、特許文献３などのストラップの止め具などは、本発明に近い方式であるが、これも止め爪により痕を付けるものであり、さらに、この止め爪を固定するための機構も無いため、不用意に止め爪が解除されると、ベルトの締結まで解除され、洋装用途の皮革製ベルトを確実に締結できない問題点がある。
【先行技術文献】
【特許文献】
【０００８】
【特許文献１】特開２００６−２９６５５２号公報
【特許文献２】特開２００４−１５４３８３号公報
【特許文献３】実開  昭５６−１０６６２５号公報
【発明の概要】
【発明が解決しようとする課題】
【０００９】  大部分の無段階調節可能なベルトのバックルの問題点は、人前でも目立たずにさりげなくベルトを緩めることができない点であり、さりげなくベルトを緩めることのできる少数のバックルは、バックルが人体より引き離す方向の力を受けた場合にベルトが緩む点が問題である。さらに、強く締結できる他のベルトは、ベルトの表面に圧痕を付け美観を損ない、ベルトを局部的に損傷させる点や、人体に対してバックルが均等に密着せず装着感が良くないなどの問題点がある。つまり、このような問題点を全て解決したバックルが存在しておらず、本発明の解決しようとする課題は、これら全ての問題点を解決したバックルを提供する事である。
【課題を解決するための手段】
【００１０】  本発明は、
１．スリットの長さが１５〜４５ｍｍのスリット状の空隙部を設けた下面板、下面板上に設けた一対の側面板、前記一対の側面板と垂直をなす軸まわりに起倒可能な留め具からなり、留め具には倒した時に下面板のスリット状の空隙部に向かって突き出す高さ３ｍｍ〜１５ｍｍの凸部を設け、一対の側面板には前記留め具を倒した状態で係合するための係合部を設け、スリット状の空隙部の上面に重ねたベルトの基端部を下面板の上部面に固定する事を特徴とするベルトのバックル。
２．留め具を倒した状態で、留め具に設けた凸部の先端が、下面板の上部面より上方に５ｍｍ、下方に５ｍｍの範囲に位置する事を特徴とする１．記載のベルトのバックル。
３．下面板の上部面よりベルトの基端部から先端部へ延びる方向とはスリット状の空隙部を挟んで反対側の下面板の上部面に、ベルトの基端部を固定することを特徴とする１．又は２．記載のベルトのバックル。
４．一対の側面板と垂直をなす軸を、側面板に設けた溝の中で一対の側面板と平行に移動可能とすることで、前記留め具を平行に移動、揺動させ、側面板のストッパーとの係合を行うことを特徴とする１．〜３．のいずれかに記載のベルトのバックル。
５．倒した前記留め具の先端部近傍に前記一対の側面板と垂直をなす別の軸を追加し、この別の軸まわりに起倒可能な第２の留め具を設け、この第２の留め具の根元付近で前記留め具の先端部を押さえ込み、前記留め具を係合する機構を特徴とする１．〜４．のいずれかに記載のベルトのバックル。
６．前記第２の留め具を永久磁石により係合する機構を特徴とする１．〜５．のいずれかに記載のベルトのバックル。
である。【００１１】  本発明は、胴に巻付けて使用する洋装用のベルトのバックルであり、締結位置を無段階に調節するため摩擦力を利用している。特に、使用時にベルトの受ける張力（設計最大荷重）により、ベルトの先端部がバックルより引き抜かれないために、ベルトの先端部と基端部を重ね合わせたうえで、倒し込んだ留め具の凸部によりスリット状の空隙の中に押し込み、あえて人体側に向かって凸となるよう屈曲させて摩擦力を発生させている。【００１２】  この留め具に設けた凸部の高さは、低すぎるとベルトがあまり屈曲せず十分な摩擦力を発生させられないが、高すぎると操作が困難になるため、３ｍｍ〜１５ｍｍの範囲とする必要があり、好ましくは３ｍｍ〜１０ｍｍの範囲とすべきである。【００１３】  なお、このようにベルトを屈曲させる場合には、凸部の先端の位置が最も重要である。ベルトが厚く剛性が高い場合にはあまり下まで押し込む必要が無く下面板の上部面より上方に５ｍｍとなる。逆に薄く剛性も低いベルトの場合には上部面の下５ｍｍまでベルトを押し込む必要が有り、一般的に使用されるベルトの厚さや剛性などの物性より、実際には下面板の上部面の上３ｍｍから、上部面から下に３ｍｍの範囲とすることが好ましい。【００１４】  特に、このように、ベルトを屈曲させて摩擦力を発生させる目的は、ベルトの張力の方向と摩擦力を発生させる面が平行に近づいて滑り出さなくするためである。
つまり、特許文献１にあるようにな方式のバックルは通常人体とは逆向きに凸となるようにベルトを屈曲させて摩擦力を発生させているが、このような方向にベルトを屈曲させていると、バックルが人体から引き離される方向の力を受けた時に、図５（ｂ）のようにベルトが２次曲線形状となり摩擦面に対してベルトが受ける張力の方向が平行に近づいて滑り出す。【００１５】  そこで本発明では、あえて人体側に向かって凸となるようにベルトを屈曲させている。これにより、バックルが人体から引き離される方向の外力を受けた時にも、摩擦面に対してベルトが受ける張力の方向が平行にならずベルトの先端部が滑り出さない。つまり、このような力を受けた時に、ベルトが形成させられる２次曲線形状とは逆の傾きを、バックルによってベルトに強制するために、あえてバックルにより人体に向かって凸となるようにベルトの先端部を屈曲させている。【００１６】  さらに、このように人体に向かって屈曲させることにより、張力に比例して摩擦力も強化させることができるので、より強力にベルトを締結できる利点が生まれた。
つまり、スリット状の空隙の中でベルト先端部の下側となったベルトの基端部がバックルから引き出される張力を利用して、ベルトの先端部を留め具の凸部に押し付けて摩擦力をさら強化することまで可能となった。このように摩擦力を増加させるためには、図１のようにスリット状の空隙を挟んで、締結時にベルトの先端部を引き出した側とは逆側に、ベルトの基端部をネジなどで固定するだけでよい。【００１７】  このように重要な部位であるスリット状の空隙部のスリットの長さは、基本的に使用するベルトの厚さに比例させて、薄い場合には短く、厚い場合には長く設計する。
さらに、留め具の軸を側面板に固定する場合には短く、軸を側面板の中でスライドさせる場合には長く設計する。【００１８】  ゆえに市販されている大体２〜４ｍｍ厚さの皮革製ベルト等を使用する場合には、スリット状の空隙の幅は１５ｍｍ〜４５ｍｍの範囲になる必要がある。例えば、ベルトの厚さが２．５ｍｍで軸を固定する場合にはスリット状の空隙の幅を２０ｍｍで設計し、同じくベルトの厚さが２．５ｍｍで軸を平行に移動させる場合であれば、この幅に平行に移動する部分の１２ｍｍを足して３２ｍｍで設計、製作できる。つまりスリット状の空隙の幅はベルトの厚さや剛性、軸の平行移動や係合機構などによって１５ｍｍ〜４５ｍｍの範囲で調節しなければならず、一般的な市販のベルトであれば２０ｍｍ〜３５ｍｍの範囲が好ましい。
また、上記のようにベルトの両端部を屈曲させるための必須条件として、ベルトの基端部はこのスリット状の空隙の上に被せた状態で下面板の上部面で固定しなければならない。【００１９】  また、下面板上方に位置する一対の側面板では、この一対の側面板と垂直をなす軸まわりに、起倒可能な留め具を設けており、この起倒可能な留め具によりテコの原理を応用し、小さな力でも重ねた２枚のベルトを屈曲させる操作が容易となる。
また、留め具には、倒した時にスリット状の空隙に向かって突き出す高さ３ｍｍ〜１５ｍｍの凸部を設けてあり、この凸部の高さも使用するベルトの厚さと剛性、デザイン等により、この範囲内で調整する必要があるが一般的な皮革製ベルトの場合、好ましくはこの凸部の高さは５〜１０ｍｍの範囲で良い。しかし、例えば剛性が高く、厚さも４ｍｍのベルトの場合には凸部の高さは３ｍｍと低くし、厚さ２．５ｍｍで一般的な剛性の皮革製ベルトの場合にはこの高さを１２ｍｍで設計、製作した。【００２０】  ベルトを締結する際には、この留め具を起こす事でベルトの先端部を差し込む空間をつくり出し、ベルトの先端部を留め具の下に通し、下面板の上部面に固定しているベルトの基端部の上に重ねた状態で引き出し、締結する位置を決め、留め具を倒してベルトの両端部を重ね合わせた状態でスリット状の空隙の中で屈曲させ、スリット状の空隙を形成する下面板の部材と、留め具の凸部との間で、痕が残らない程度の強さにてベルトの両端部を圧縮する。【００２１】  上記ベルトの締結方法について、さらに詳しく図１を使って説明する。下面板の上部面では、ベルトの基端部から先端部へ延びる方向とはスリット状の空隙部を挟んで反対側の下面板の上部面に、ベルトの基端部を固定しておき、締結時には下面板に設けたスリット状の空隙部の上でベルトの基端部とベルトの先端部を重ね合わせ、この状態で留め具を倒し凸部により２枚重ねしたベルトの両端部を、スリット状の空隙に押し込む事により人体に向かって凸に屈曲させるが、この時２枚重ねしたベルトの両端部は二つの逆Ｖ字を含む形状に屈曲させられる。この時スリット状の空隙を形成する下面板の部材は逆Ｖ字形状に屈曲させられたベルトの両端部のどちらか一つかもしくは両方の逆Ｖ字形状部を圧縮することにより発生させた摩擦力によってベルトの先端部を締結することが本発明の基本原理である。【００２２】  さらに、前記のようにベルトを屈曲させて摩擦力により締結した後で、操作しやすく不用意に解除されない係合機構にて、この留め具を確実に固定する必要があるが、バックルの設計上簡素かつ単純な機構が望ましく、本発明では基本的にスライド（平行移動）機構により留め具を係合する機構を採用しているが、テコの原理や永久磁石によって構成する機構により係合する設計も可能である。【００２３】  また本発明のバックルは通常はステンレス鋼などの金属製とする事が好ましいが、エンジニアリングプラスティックなど他の材料で製作する事も可能である。
【発明の効果】
【００２４】  体調が急に悪化した場合など、人前でベルトを緩めたい時に、本発明によるバックルであれば指で軽く操作するだけで、目立たずにベルトを緩めることが可能である。さらに、バックルに対して人体より引き離す方向の力が加わっても、屈曲された部分でのベルトの摩擦力が維持されるため確実に締結できる。特に使用中想定される最大荷重（最大張力）が加えられた場合には、下面板に固定されているベルトの基端部がベルトが受ける張力によりベルトの先端部を留め具に押し付けるため、より強い摩擦力により締結される。また、本発明によるバックルにおいて、ベルトの両端部（基端部と先端部）は重ね合わせて摩擦力によりループ状として一体化するため、下面板の下面が人体に対しほぼ均等に密着され、ベルトの装着時にはバックルの端部が人体側より浮かず、自然で安定した心地良い装着感が得られる。  さらに、本発明によるバックルではベルト先端部に対して留め具の凸部で押すことにより緩やかに屈曲させているだけなので、ベルトの表面に爪痕など残さずに締結する事ができる。これよりベルト表面の美観が良く、さらにベルトの局部的な損傷を防ぐことでベルトの寿命を延ばす事にもなる。  さらに、従来型には無い斬新なデザインが可能で有り、男性用のファッショナブルなバックルから女性用のバックルまでデザインすることができる。
【図面の簡単な説明】
【００２５】
【図１】本発明の一実施形態を示す断面図である。（実施例１）
【図２】本発明の一実施形態を示す斜視図である。（実施例１）
【図３】本発明の一実施形態を示す断面図である。（実施例２）
【図４】本発明の一実施形態を示す断面図である。（実施例３）
【図５】摩擦力を利用した従来型バックルと外力との関係を示す図である。
【発明を実施するための形態】
【００２６】  図１のように、バックルの内部にてベルトの基端部を下面板に固定しておき、締結時にはベルトの先端部をバックルに差込み、両端部を重ね合わせた状態で、留め具によりスリット状の空隙部の側壁に押し当て、逆Ｖ字を２箇所含んだ形状となるよう緩やかに屈曲させることで、ベルトの表面に爪痕などを付けずに締結する。さらに、指先でこの留め具を操作すれば容易に係合を解除できるが、逆にバックルが張力を含む外力を受けた場合にも、容易に解除されることの無い係合機構により、使いやすいバックルを実現した。
【実施例１】
【００２７】  図１は、幅３４ｍｍで厚さが２．５ｍｍの牛皮製のベルトを使った本発明によるバックルの一例の断面図、図２が斜視図である。下面板１にはベルトが通る幅でスリットの長さが２０ｍｍのスリット状の空隙部２を設けておき、この下面板の上には一対の側面板３を設け、予めベルトの基端部４をこの一対の側面板３の間に通し、スリット状の空隙部２の上に重ねた状態で組ネジ１１ａにより下面板１の上部面に固定する。【００２８】  使用時にはベルトの先端部６をバックル内に差込み、ベルトの基端部４の上に重ねるようにして留め具７の下を通し、バックル本体から引き出して係合したい位置に合わせる。【００２９】  次に留め具７を倒して高さ７ｍｍの凸部８を、ベルトの先端部６の上からスリット状の空隙部２に向かって５ｍｍ押し込み、下面板の上部面まで凸部８の先端を下げ、ベルトの先端部６を屈曲させる事で、重ね合わせたベルトの基端部４とベルトの先端部６を、スリット状の空隙部２を形成する下面板１の２箇所の側壁に押し当て、逆Ｖ字形状を２箇所で形成するように屈曲させる事でベルトの表面に爪痕などを残さずに締結する。【００３０】  さらに、留め具７の上面に組ネジ１１ｂとスプリングワッシャー１１ｃにて取り付けておいた係合部９を１２ｍｍスライドさせて側面板に設けたストッパー１０に差し込む事で、留め具７を係合しベルトの先端部６を確実に締結する。【００３１】  ただし、この実施例１では留め具７を固定している組ネジ１１ｂが、ベルトの先端部６に接触していないので、ベルトの先端部６が張力により引き抜かれる方向とは逆の方向にスライドさせてストッパー１０に差し込む設計としているが、係合部９を固定している組ネジ１１ｂが、ベルトの先端部６の表面に接触していて、ベルトの先端部６が引き抜かれるような場合には、係合部９がベルトに引きずられて係合が解除される危険性があるため留め具７を逆方向にスライドさせてストッパー１０に差し込む設計にしなければならない。【００３２】  ただし、ベルトの先端部６が摩擦力により強力に締結されており、ベルトの先端部６が引き抜かれる事の無い場合には、図１のように係合部９をベルトの先端部６が引き抜かれる方向と逆にスライドさせて固定する設計としても良い。【００３３】  前記、図１の実施例１により本発明によるバックルの基本的な構造について解説する。まずバックル本体の内部で重ね合わせたベルトの両端部を、スリット状の空隙部２の中で留め具７の凸部８により人体側に押し出し屈曲させているが、このように人体側に押し出してベルトを屈曲させる設計方針には、ベルトの先端部が受ける張力によりバックルから引き抜かれず、確実に締結するために重要な設計方針によるものである。【００３４】  つまり、特許文献１のように人体側とは反対方向に向かってベルトを屈曲させる設計とした場合、バックルが人体より引き離される方向の力を受けた時に、ベルトは図５のように２次曲線的な形状となり、屈曲させる事により摩擦力を発生させているベルトの先端部６に、張力が直線的に作用するためベルトが抜ける。【００３５】  これに対して、本発明では人体に向かってベルトを凸状に屈曲させており、バックルが人体側より引き離すような力を受けた場合には、ベルトがバックル内部で形成する２箇所での逆Ｖ字的な形状がより強調され、摩擦力を発生させている摩擦面に張力が直線的に作用せずベルトが抜けない。【００３６】  つまり、本発明のように胴に巻きつけて使用するベルトのバックルを設計する場合、ベルトが受ける張力が最も大きな外力であるが、常時張力を受けるとは限らない。さらに、バックルの上部にせり出した腹部などからバックルが受ける力や、外部の物体と接触することで受ける力も想定し、これらの外力によってベルトの締結が解除されないように設計しなくてはならない。【００３７】  そこで本発明では、ベルトが受ける大きな張力によって、ベルトが簡単に緩まないことは最低限の設計条件とし、ベルトが殆ど張力を受けない状態や、張力を間欠的に受ける場合、せりだした腹部によってバックルが押される場合、腕または他の物体がバックルに接触した場合においても、確実にベルトを締結し続ける事を必須条件としてバックルを設計した。【００３８】  また、本発明では摩擦力を効率的に発生させているので、さらに強力にベルトを締結したい場合には、摩擦係数が高いウレタン樹脂や変性シリコン樹脂などをベルトの摩擦面に塗布することで、容易に締結性能の強化が可能である。
【実施例２】
【００３９】  図３は実施例１と同じく、幅が３４ｍｍで厚さ２．５ｍｍの牛革製ベルトを使った本発明によるバックルの断面図である。下面板１には人体側に幅が３５ｍｍ、スリットの長さが２４ｍｍのスリット状の状の空隙部２と、このスリット状の状の空隙部２と組み合わせて、ベルトの基端部４の上に重ねたベルトの先端部６を屈曲させるための留め具７を設け、予めベルトの基端部４はスリット状の状の空隙部２を跨ぐようにして、組ネジ１１ａにより下面板１の上部面に固定している。【００４０】  ベルトを締結する際には、ベルトの先端部６をベルトの基端部４の上に差し込み、重ねるようにして留め具７の下に通して、係合する位置まで引き出した後で、留め具７をベルト先端部６の上に倒しベルトの基端部４の上に重ねたままスリット状の状の空隙部２に向かって５ｍｍ押し込み、高さ１０ｍｍの凸部８の先端を下面板１の上部面から下側（人体側）２ｍｍまで下げ、ベルトの先端部６とその下のベルトの基端部４を屈曲させる。【００４１】  次にこの留め具７をベルトの先端部６が張力により引き抜かれる方向に８ｍｍスライドさせ、留め具７の凸部８とベルトの先端部６が張力により引き抜かれる側のスリット状の状の空隙部を形成する側壁によりベルトを圧縮するとともに、係合部９を側面板３に設けたストッパー１０に差し込む事で固定するようにした。【００４２】  このように、留め具７が支点の軸５ごと８ｍｍスライドできるように設計すると、ベルトの先端部６がバックルから引き抜かれる方向に張力を受けた時に、摩擦力によりベルトの先端部６と一体化した留め具７が同じ方向にスライドするため、ストッパー１０に差し込んだ留め具７の係合部９が抜けない上に、張力によりベルトの先端部６が引き抜かれ始めると、留め具７の係合部９がストッパー１０に引き込まれて強くベルトが締結されるため、これ以上ベルトが引き抜かれない。
【実施例３】
【００４３】  図４は実施例２と同じ、幅が３４ｍｍで厚さ２．５ｍｍの牛革製ベルトを使ったバックルの断面図である。バックルには人体側に幅が３５ｍｍで、スリットの長さが２４ｍｍのスリット状の状の空隙部２と、このスリット状の状の空隙部２と組み合わせて、ベルトの基端部４の上に重ねたベルトの先端部６を屈曲させるための留め具７を設け、予めベルトの基端部４はスリット状の状の空隙部２を跨ぐようにしバックルの内部に通した状態で組ネジ１１ａにより下面板１に固定しておく。【００４４】  ベルトを締結する際には、ベルトの先端部６をバックルの中に差し込み、ベルトの基端部４に重ねるようにして留め具７の下に通し、締結する位置まで合わせた後で、留め具７をベルト先端部６の上に倒し、スリット状の状の空隙部２の上で重ね合わせたベルトの基端部４と先端部６を、スリット状の状の空隙部２に向かって３ｍｍ押し込み、高さ６ｍｍの凸部８の先端を下面板２の上部面の上２ｍｍまで下げ、重ね合わせた２枚のベルトを人体側に凸となるように屈曲させることで、スリット状の状の空隙部を形成する下面板２の２箇所の側壁に押し当てて、逆Ｖ字形状を２箇所で形成するようにして屈曲させる。【００４５】  次に、留め具７をベルトの先端部６が張力により引き抜かれる方向に８ｍｍスライドさせ、留め具７とスリット状の状の空隙部２を形成する側壁によりベルトを圧縮するとともに、留め具７の先端部を一対の側面板３と垂直となるストッパー１２とベルトの先端部６との間に設けた隙間に差し込んだ後で起こす事により爪部１３を使い留め具７を係合した。【００４６】  このように留め具７の支点となる軸５を８ｍｍスライドできるように設計すると、ベルトの先端部６がバックルから引き抜かれる方向に張力を受けても、摩擦力により一体化した留め具７が同じ方向にスライドするため、ストッパー１２とベルトの先端部６との隙間に差し込んだ留め具７の先端部がさらに深く引き込まれてより強固にベルトを締結する。故にベルトの先端部が張力により引き抜かれはじめると、実施例２と同じようにより強く締結されるため、それ以上ベルトの先端部が引き抜かれない長所を有している。
【実施例４】
【００４７】  実施例１のように留め具７によりベルトの先端部６を人体側に屈曲させた上で固定し、さらにこの固定用の留め具の先端部を、第二の留め金具と磁石を組み合わせて係合する事により、ベルトを締結するバックル。
【産業上の利用可能性】
【００４８】  本発明によるバックルによれば、市販されている大部分のベルトでは不可能である人前でさりげなくベルトを緩める動作が可能になる上、バックルに張力以外の外力が加わってもベルトが緩むことが無く、無段階に係合位置を調節できるベルトの製造が可能となる。さらに、装着感が自然で安定しており、皮革製ベルトの表面に傷など付けないため男性用のファッショナブルな服装や、女性の服装にも合わせることのできる特異で異国的な新しいデザインのバックルも可能となる。
【比較例１】
【００４９】  特許文献１のような方式のバックルでは、図５のように本発明と同様に摩擦力によりベルトを締結しているが、バックルが人体側より引き離される方向に外力を受けると、ベルトの締結が緩む欠点が有る。
【符号の説明】
【００５０】１  下面板
２  スリット状の空隙部
３  側面板
４  ベルトの基端部
５  軸（留め具を起倒させるための支点）
６  ベルトの先端部
７  留め具
８  凸部
９  係合部
１０  ストッパー
１１ａ  組ネジ（下面板１にベルトの基端部４を固定するため）
１１ｂ  組ネジ（留め具７に係合部９を固定するため）
１１ｃ  スプリングワッシャー（留め具７に係合部９を固定するため）
１２  ストッパー（横棒）
１３  爪部
１４  一対の側面板に設けた溝
１５  揺動部材
１６  支持部
【図１】
2014128529.tif 000003
【図２】
2014128529.tif 000004
【図３】
2014128529.tif 000005
【図４】
2014128529.tif 000006
【図５】
2014128529.tif 000007